(57)【要約】【課題】携帯端末での表示に適した画像を提供する。【解決手段】画像送信装置は、利用者を被写体として撮影し、撮影により得られた撮影画像をサーバに送信する。サーバは、画像送信装置から送信された撮影画像を受信し、撮影画像の縦横比に基づいて、撮影画像と携帯端末の表示部の長辺および短辺の向きを合わせて表示させるようにして、撮影画像を携帯端末に提供する。本発明は、例えば、写真シール作成装置を含む画像提供システムに適用することができる。【選択図】図１５
2014216931.tif 000002
【特許請求の範囲】
【請求項１】
ネットワークを介して画像を送信する画像送信装置と、前記画像送信装置から送信された前記画像を受信し、携帯端末に提供するサーバとからなる画像提供システムであって、
前記画像送信装置は、
利用者を被写体として撮影する撮影手段と、
撮影により得られた撮影画像を前記サーバに送信する送信手段と
を備え、
前記サーバは、
前記画像送信装置から送信された前記撮影画像を受信する受信手段と、
前記撮影画像の縦横比に基づいて、前記撮影画像と前記携帯端末の表示部の長辺および短辺の向きを合わせて表示させるようにして、前記撮影画像を前記携帯端末に提供する提供手段と
を備える画像提供システム。
【請求項２】
前記サーバの前記提供手段は、前記撮影画像が横長の画角で撮影され、かつ、前記携帯端末の前記表示部が縦長である場合、前記撮影画像と前記携帯端末の前記表示部の長辺および短辺の向きを合わせて表示させるように、90°回転させた前記撮影画像を前記携帯端末に提供する
請求項１に記載の画像提供システム。
【請求項３】
前記画像送信装置の送信手段は、前記撮影画像とともに、前記撮影画像の縦横比を表す縦横比情報を含む画像情報を、前記サーバに送信し、
前記サーバの前記提供手段は、前記画像情報に含まれる前記縦横比情報に基づいて、前記撮影画像と前記携帯端末の前記表示部の長辺および短辺の向きを合わせて表示させるようにして、前記撮影画像を前記携帯端末に提供する
請求項１または２に記載の画像提供システム。
【請求項４】
前記画像情報は、前記画像送信装置の機種を特定する機種特定情報をさらに含み、
前記サーバの前記提供手段は、前記画像情報に含まれる前記機種特定情報に基づいて、前記画像送信装置の機種によって縦横比が異なる前記撮影画像と前記携帯端末の前記表示部の長辺および短辺の向きを合わせて表示させるようにして、前記撮影画像を前記携帯端末に提供する
請求項３に記載の画像提供システム。
【請求項５】
前記サーバは、
前記携帯端末の前記表示部の縦横比を表す端末情報を取得する取得手段をさらに備え、
前記提供手段は、前記端末情報に基づいて、前記携帯端末の前記表示部が縦長であるか否かを判定する
請求項２乃至４のいずれかに記載の画像提供システム。
【請求項６】
前記サーバは、
前記携帯端末の傾きに応じて前記表示部の表示内容を回転させる機能を無効にする回転ロック機能のオン／オフを検知する検知手段をさらに備え、
前記提供手段は、回転ロック機能がオフであると検知された場合、前記携帯端末の傾きに応じて、前記撮影画像と前記携帯端末の前記表示部の長辺および短辺の向きを合わせて表示させるようにして、前記撮影画像を前記携帯端末に提供する
請求項２乃至５のいずれかに記載の画像提供システム。
【請求項７】
前記サーバの前記提供手段は、前記携帯端末の前記表示部に表示される、90°回転させた前記撮影画像とともに、前記撮影画像を回転前の状態で表示させるための指示を受け付けるGUI（Graphical User Interface）を前記携帯端末に提供する
請求項２乃至６のいずれかに記載の画像提供システム。
【請求項８】
前記サーバの前記提供手段は、前記携帯端末からの前記撮影画像の表示の要求に応じて、前記撮影画像と前記携帯端末の前記表示部の長辺および短辺の向きを合わせて前記撮影画像を表示させることを促すポップアップ画面を前記携帯端末に提供する
請求項２乃至７のいずれかに記載の画像提供システム。
【請求項９】
ネットワークを介して画像を送信する画像送信装置と、前記画像送信装置から送信された前記画像を受信し、携帯端末に提供するサーバとからなる画像提供システムの画像提供方法であって、
前記画像送信装置が、
利用者を被写体として撮影し、
撮影により得られた撮影画像を前記サーバに送信する
ステップを含み、
前記サーバが、
前記画像送信装置から送信された前記撮影画像を受信し、
前記撮影画像の縦横比に基づいて、前記撮影画像と前記携帯端末の表示部の長辺および短辺の向きを合わせて表示させるようにして、前記撮影画像を前記携帯端末に提供する
ステップを含む画像提供方法。
【請求項１０】
ネットワークを介して画像を送信する画像送信装置から送信された前記画像を受信し、携帯端末に提供する画像提供装置であって、
前記画像送信装置から送信された前記画像を受信する受信手段と、
前記画像の縦横比に基づいて、前記画像と前記携帯端末の表示部の長辺および短辺の向きを合わせて表示させるようにして、前記画像を前記携帯端末に提供する提供手段と
を備える画像提供装置。
【発明の詳細な説明】
【技術分野】
【０００１】
本発明は、画像提供システム、画像提供方法、および画像提供装置に関し、特に、携帯端末での表示に適した画像を提供することができるようにする画像提供システム、画像提供方法、および画像提供装置に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。また、近年の写真シール機においては、印刷待ち時間に実行される事後接客処理において、撮影画像や編集済み画像等を携帯端末へ送信することが行われている。
【０００４】
このような写真シール機の中には、シール紙での見栄えが良い縦横比率が√２：１の画像を、携帯端末で表示可能な縦横比率が４：３の画像に変換するようにしたものがある。（例えば、特許文献１参照）。
【０００５】
また、画像の編集時に、縦横比率の異なるトリミング枠を利用者に選択させ、選択されたトリミング枠でトリミングされた画像を、携帯端末へ送信する写真シール機がある（例えば、特許文献２参照）。
【先行技術文献】
【特許文献】
【０００６】
【特許文献１】特開２０１０−１５４４５３号公報
【特許文献２】特開２０１０−１５４４５２号公報
【発明の概要】
【発明が解決しようとする課題】
【０００７】
ところで、一般的には、携帯端末の表示画面は縦長であるため、携帯端末へ送信される画像が横長である場合、携帯端末の表示画面において、横長の画像は、その表示画面の幅に合わせて縮小されて表示され、その上下には、何も表示されない領域ができてしまっていた。表示画面がタッチパネル式の場合、画像を拡大して表示させるには、利用者は、画面上でその画像を広げるように２本の指を離していく、いわゆるピンチアウト等の操作を行う必要があり、利用者にとって面倒であった。
【０００８】
本発明は、このような状況に鑑みてなされたものであり、携帯端末での表示に適した画像を提供することができるようにするものである。
【課題を解決するための手段】
【０００９】
本発明の一側面の画像提供システムは、ネットワークを介して画像を送信する画像送信装置と、前記画像送信装置から送信された前記画像を受信し、携帯端末に提供するサーバとからなる画像提供システムであって、前記画像送信装置が、利用者を被写体として撮影する撮影手段と、撮影により得られた撮影画像を前記サーバに送信する送信手段とを備え、前記サーバが、前記画像送信装置から送信された前記撮影画像を受信する受信手段と、前記撮影画像の縦横比に基づいて、前記撮影画像と前記携帯端末の表示部の長辺および短辺の向きを合わせて表示させるようにして、前記撮影画像を前記携帯端末に提供する提供手段とを備える。
【００１０】
前記サーバの前記提供手段には、前記撮影画像が横長の画角で撮影され、かつ、前記携帯端末の前記表示部が縦長である場合、前記撮影画像と前記携帯端末の前記表示部の長辺および短辺の向きを合わせて表示させるように、90°回転させた前記撮影画像を前記携帯端末に提供させることができる。
【００１１】
前記画像送信装置の送信手段には、前記撮影画像とともに、前記撮影画像の縦横比を表す縦横比情報を含む画像情報を、前記サーバに送信させ、前記サーバの前記提供手段には、前記画像情報に含まれる前記縦横比情報に基づいて、前記撮影画像と前記携帯端末の前記表示部の長辺および短辺の向きを合わせて表示させるようにして、前記撮影画像を前記携帯端末に提供させることができる。
【００１２】
前記画像情報は、前記画像送信装置の機種を特定する機種特定情報をさらに含み、前記サーバの前記提供手段には、前記画像情報に含まれる前記機種特定情報に基づいて、前記画像送信装置の機種によって縦横比が異なる前記撮影画像と前記携帯端末の前記表示部の長辺および短辺の向きを合わせて表示させるようにして、前記撮影画像を前記携帯端末に提供させることができる。
【００１３】
前記サーバには、前記携帯端末の前記表示部の縦横比を表す端末情報を取得する取得手段をさらに設け、前記提供手段には、前記端末情報に基づいて、前記携帯端末の前記表示部が縦長であるか否かを判定させることができる。
【００１４】
前記サーバには、前記携帯端末の傾きに応じて前記表示部の表示内容を回転させる機能を無効にする回転ロック機能のオン／オフを検知する検知手段をさらに設け、前記提供手段には、回転ロック機能がオフであると検知された場合、前記携帯端末の傾きに応じて、前記撮影画像と前記携帯端末の前記表示部の長辺および短辺の向きを合わせて表示させるようにして、前記撮影画像を前記携帯端末に提供させることができる。
【００１５】
前記サーバの前記提供手段には、前記携帯端末の前記表示部に表示される、90°回転させた前記撮影画像とともに、前記撮影画像を回転前の状態で表示させるための指示を受け付けるGUI（Graphical User Interface）を前記携帯端末に提供させることができる。
【００１６】
前記サーバの前記提供手段には、前記携帯端末からの前記撮影画像の表示の要求に応じて、前記撮影画像と前記携帯端末の前記表示部の長辺および短辺の向きを合わせて前記撮影画像を表示させることを促すポップアップ画面を前記携帯端末に提供させることができる。
【００１７】
本発明の一側面の画像提供方法は、ネットワークを介して画像を送信する画像送信装置と、前記画像送信装置から送信された前記画像を受信し、携帯端末に提供するサーバとからなる画像提供システムの画像提供方法であって、前記画像送信装置が、利用者を被写体として撮影し、撮影により得られた撮影画像を前記サーバに送信するステップを含み、前記サーバが、前記画像送信装置から送信された前記撮影画像を受信し、前記撮影画像の縦横比に基づいて、前記撮影画像と前記携帯端末の表示部の長辺および短辺の向きを合わせて表示させるようにして、前記撮影画像を前記携帯端末に提供するステップを含む。
【００１８】
本発明の一側面の画像提供装置は、ネットワークを介して画像を送信する画像送信装置から送信された前記画像を受信し、携帯端末に提供する画像提供装置であって、前記画像送信装置から送信された前記画像を受信する受信手段と、前記画像の縦横比に基づいて、前記画像と前記携帯端末の表示部の長辺および短辺の向きを合わせて表示させるようにして、前記画像を前記携帯端末に提供する提供手段とを備える。
【００１９】
本発明の一側面においては、画像送信装置から送信された画像が受信され、画像の縦横比に基づいて、画像と携帯端末の表示部の長辺および短辺の向きを合わせて表示させるようにして、画像が携帯端末に提供される。
【発明の効果】
【００２０】
本発明によれば、携帯端末での表示に適した画像を提供することが可能となる。
【図面の簡単な説明】
【００２１】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】床材の平面図である。
【図８】事後接客部の構成例を示す図である。
【図９】写真シール作成装置の内部の構成例を示すブロック図である。
【図１０】制御部の機能構成例を示すブロック図である。
【図１１】写真シール作成ゲーム処理の流れの例を説明するフローチャートである。
【図１２】撮影処理について説明するフローチャートである。
【図１３】人数選択画面の例を示す図である。
【図１４】各コースにおける撮影画像の画角を示す図である。
【図１５】画像提供システムの構成例を示すブロック図である。
【図１６】サーバのハードウェア構成例を示すブロック図である。
【図１７】サーバの機能構成例を示すブロック図である。
【図１８】携帯端末の機能構成例を示すブロック図である。
【図１９】画像提供システムの一連の処理について説明するフローチャートである。
【図２０】携帯端末における従来の表示例を示す図である。
【図２１】ウェブページ提供処理について説明するフローチャートである。
【図２２】携帯端末における表示例を示す図である。
【図２３】携帯端末における表示例を示す図である。
【図２４】携帯端末における表示例を示す図である。
【図２５】携帯端末における表示例を示す図である。
【図２６】ウェブページ提供処理の他の例について説明するフローチャートである。
【図２７】画像の回転について説明する図である。
【図２８】画像の回転について説明する図である。
【図２９】ポップアップ画面の例を示す図である。
【図３０】サーバの他の機能構成例を示すブロック図である。
【図３１】ウェブページ提供処理について説明するフローチャートである。
【図３２】回転ロック機能のオン／オフに応じた携帯端末における表示例を示す図である。
【発明を実施するための形態】
【００２２】
以下、本発明を適用した具体的な実施の形態について、図面を参照しながら詳細に説明する。
【００２３】
［写真シール作成装置の外観構成］
図１は、写真シール作成装置１の外観の構成例を示す斜視図である。
【００２４】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるが、主に２人または３人等の複数人である。
【００２５】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２６】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２７】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２８】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図示せず）により構成される。
【００２９】
背景部２２は、正面を向いて撮影処理を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図示せず）から構成される。
【００３０】
撮影部２１の右側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、撮影部２１の左側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’（図示せず）によって連結される。
【００３１】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。撮影空間の内部には床材２７が設置される。利用者は、撮影空間に入り、床材２７の上に立って撮影を行うことになる。
【００３２】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３３】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００３４】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、フラッシュとして撮影に合わせて撮影空間内に向けて発光するストロボを内蔵する。天井ストロボユニット２４の内部には、ストロボの他に、蛍光灯が設けられており、撮影空間の照明としても機能する。
【００３５】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３６】
図１に示す編集部１２の構成を正面側の構成とすると、２組の利用者が同時に編集処理を行うことができるように、編集部１２の正面側と背面側には編集処理に用いられる構成がそれぞれ設けられる。
【００３７】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の右側には、柱状の形状を有し、照明装置７４の一端を支持する支持部７３Ａが設けられる。斜面７２の左側にも、照明装置７４の他端を支持する支持部７３Ｂ（図２）が設けられる。さらに、支持部７３Ａの右側には、板状の形状を有し、事後接客部１３が連結して設けられる支持部７３Ｃが設けられる。また、支持部７３Ｃの上面にはカーテンレール２６を支持する支持部７５が設けられる。
【００３８】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３９】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４０】
図２は、写真シール作成装置１を別の角度から見た斜視図である。
【００４１】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４２】
図２に示すように、事後接客部１３は、所定の厚さを有する板状の筐体を有しており、編集部１２の右側面に接合されて設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４３】
ここで、写真シール作成ゲームの流れと、それに伴う利用者の移動について図３を参照して説明する。図３は、写真シール作成装置１を上から見た平面図である。
【００４４】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４５】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４６】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４７】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４８】
画像の印刷が終了したとき、利用者は、事後接客部１３に設けられた排出口からシール紙を受け取り、一連の写真シール作成ゲームを終えることになる。
【００４９】
次に、各装置の構成について説明する。
【００５０】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５１】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５２】
正面パネル４１の中央からやや上側には撮影・表示ユニット８１が設けられる。撮影・表示ユニット８１は、カメラ９１、タッチパネルモニタ９２、および正面ストロボ９３から構成される。
【００５３】
カメラ９１は、レンズやCCD(Charge Coupled Device)などの撮像素子により構成され、撮影空間Ａ１にいる利用者を撮影する。カメラ９１により取り込まれた動画像は、タッチパネルモニタ９２にリアルタイムで表示される。利用者により撮影が指示されたときなどの所定のタイミングでカメラ９１により取り込まれた画像は撮影画像（静止画像）として保存される。
【００５４】
カメラ９１の下側に設けられたタッチパネルモニタ９２は、LCD(Liquid Crystal Display)などのモニタと、それに積層されたタッチパネルにより構成される。タッチパネルモニタ９２は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００５５】
カメラ９１の上側および左右を囲むように半円状の発光面（乳白アクリル板）が設けられた正面ストロボ９３は、内蔵されたストロボがカメラ９１による撮影に合わせて発光することで、被写体としての利用者の顔付近を正面から照射する。
【００５６】
正面パネル４１には、撮影・表示ユニット８１の上方に右上ストロボ８２および左上ストロボ８３が設置される。右上ストロボ８２は、内蔵されたストロボが発光することで、利用者を、利用者から見て右上前方から照射し、左上ストロボ８３は、内蔵されたストロボが発光することで、利用者を、利用者から見て左上前方から照射する。
【００５７】
ベース部４３には利用者の足元を照射する足元ストロボ８４も設けられる。右上ストロボ８２、左上ストロボ８３、足元ストロボ８４、および正面ストロボ９３の内部には、ストロボの他に、蛍光灯を設けるようにし、天井ストロボユニット２４の内部の蛍光灯と合わせて、撮影空間Ａ１内の照明として用いられるようにしてもよい。各ストロボの発光量が調整されることによって、または、発光させるストロボの数が調整されることによって、利用者に照射される光が適宜調整される。
【００５８】
足元ストロボ８４の右側には、利用者がお金を投入する硬貨投入返却口８５が設けられる。
【００５９】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６０】
［背景部の構成］
図５は、背景部２２の撮影空間Ａ１側の構成例を示す図である。
【００６１】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６２】
背面パネル５１の、出入り口Ｇ１側の位置には、撮影空間Ａ１内で撮影処理を行っている利用者を右後方から照射する背面右ストロボ１０２が取り付けられる。また、背面パネル５１の、出入り口Ｇ２側の位置には、撮影空間Ａ１内で撮影処理を行っている利用者を左後方から照射する背面左ストロボ１０３が取り付けられる。
【００６３】
図６は、床材２７の平面図である。
【００６４】
板や樹脂よりなる床材２７には、角丸の長方形の区画である区画２７Ａと区画２７Ｂが並べて形成される。例えば区画２７Ａと区画２７Ｂは、床材２７にプリントされることによって、またはシートが貼り付けられることによって形成される。
【００６５】
図６においては、上方向が撮影部２１の設置方向であり、下方向が背景部２２の設置方向である。カメラ９１の位置を基準とした場合、区画２７Ａは、カメラ９１に近い位置に形成され、区画２７Ｂは、カメラ９１から遠い位置に形成される。区画２７Ａの短手方向の長さは、区画２７Ｂの短手方向の長さより若干長く、区画２７Ａの長手方向の長さは、区画２７Ｂの長手方向の長さより短い。区画２７Ａと区画２７Ｂの長手方向は、破線で示すカメラ９１の光軸Ｌと略垂直に交わる。
【００６６】
区画２７Ａの内側には「盛れるzone」の文字がプリントされ、区画２７Ｂの内側には「大人数zone」の文字がプリントされる。後述するように、２人または３人で撮影することを利用者が選択した場合、区画２７Ａの内側に入って撮影することが写真シール作成装置１により案内され、４人以上で撮影することを利用者が選択した場合、区画２７Ｂの内側に入って撮影することが写真シール作成装置１により案内される。撮影位置の案内は、タッチパネルモニタ９２の表示やスピーカからの音声によって行われる。
【００６７】
区画２７Ａからカメラ９１までの距離は、２人または３人の利用者が区画２７Ａ内に立って撮影したときに、利用者の顔付近が所定の大きさで写る距離とされる。同様に、区画２７Ｂからカメラ９１までの距離は、４人以上の利用者が区画２７Ｂ内に立って撮影したときに、その利用者の顔付近が所定の大きさで写る距離とされる。
【００６８】
図６の例においては利用者の人数に応じた立ち位置を示す区画として２つの区画が形成されるものとしたが、３つ以上の区画が形成されるようにしてもよい。この場合、より人数の少ない利用者の立ち位置として案内する区画の方が、大人数の利用者の立ち位置として案内する区画よりカメラ９１に近い位置に形成される。また、より人数の多い利用者の立ち位置として案内する区画の長手方向の長さが、小人数の利用者の立ち位置として案内する区画の長手方向の長さより長くなるように形成される。
【００６９】
また、大人数の場合には、利用者は、自然とカメラ９１から遠い位置を立ち位置とする可能性もあるので、利用者の人数に応じた立ち位置を示す区画として、区画２７Ａのみが形成されるようにしてもよい。
【００７０】
［編集部の構成］
図７は、編集部１２の背面側（編集空間Ａ２−２側）の構成例を示す図である。
【００７１】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７２】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７３】
編集部１２の左側には事後接客部１３が設けられる。
【００７４】
［事後接客部の構成］
図８は、事後接客部１３の正面側の構成例を示す図である。
【００７５】
事後接客部１３の上方中央にはタブレット内蔵モニタ１６１が設けられる。タブレット内蔵モニタ１６１は、利用者の指等を用いて操作入力が可能なタブレットがLCDなどのモニタに重畳して設けられることによって構成される。タブレット内蔵モニタ１６１には、事後接客処理に用いられる画面が表示される。
【００７６】
タブレット内蔵モニタ１６１の下にはスピーカ１６２が設けられ、スピーカ１６２の下にはシール紙排出口１６３が設けられる。
【００７７】
スピーカ１６２は、事後接客処理の案内音声、BGM、効果音等の音を出力する。
【００７８】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７９】
［写真シール作成装置の内部構成］
次に、写真シール作成装置１の内部構成について説明する。図９は、写真シール作成装置１の内部の構成例を示すブロック図である。上述した構成と同じ構成には同じ符号を付してある。重複する説明については適宜省略する。
【００８０】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００８１】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８２】
通信部２０３は、インターネットなどのネットワークのインタフェースであり、制御部２０１による制御に従って外部の装置と通信を行う。
【００８３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８４】
ROM２０６には、制御部２０１において実行されるプログラムやデータが記憶されている。RAM２０７は、制御部２０１が処理するデータやプログラムを一時的に記憶する。
【００８５】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００８６】
硬貨処理部２２１は、硬貨投入返却口８５に対する硬貨の投入を検出する。硬貨処理部２２１は、例えば４００円などの所定の金額分の硬貨が投入されたことを検出した場合、そのことを表す起動信号を制御部２０１に出力する。
【００８７】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８８】
照明装置２２３は、撮影空間Ａ１内の各ストロボの内部に設けられるストロボ（フラッシュ）であり、制御部２０１より供給される照明制御信号に従って発光する。上述したように、撮影空間Ａ１には、天井ストロボユニット２４のストロボの他に、撮影部２１に設けられる右上ストロボ８２、左上ストロボ８３、足元ストロボ８４、正面ストロボ９３、背景部２２に設けられる背面中央ストロボ１０１、背面右ストロボ１０２、背面左ストロボ１０３が設けられている。
【００８９】
カメラ９１は、制御部２０１による制御に従って撮影を行い、撮影によって得られた画像を制御部２０１に出力する。
【００９０】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９１】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９２】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【００９３】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９４】
［制御部の構成］
次に、制御部２０１について説明する。図１０は、制御部２０１がROM２０６などに格納されているプログラムを実行することにより実現される機能ブロックの構成例を示している。
【００９５】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【００９６】
このように、制御部２０１は、写真シール作成ゲームの各工程に関する処理の制御を行う。
【００９７】
［写真シール作成装置の動作］
次に、図１１のフローチャートを参照して、写真シール作成ゲームを提供する写真シール作成装置１の処理について説明する。
【００９８】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【００９９】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影し、撮影画像を出力する撮影処理を行う。
【０１００】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【０１０１】
ステップＳ４において、編集処理部３０２は、編集空間Ａ２−１と編集空間Ａ２−２のうち、撮影処理を終えた利用者の移動先とした方の編集空間に対応する編集部２０９を制御し、撮影画像に対して利用者に落書き編集入力を行わせ、落書き編集が施された編集済み画像を出力する編集処理を行う。
【０１０２】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１０３】
ステップＳ６において、印刷処理部３０３は、利用者により選択された撮影画像または編集済み画像を、印刷画像としてプリンタ２４１に出力してシール紙に印刷する印刷処理を行う（開始する）。
【０１０４】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、送信手段として、撮影画像や編集済み画像を、携帯送信用画像として携帯端末に送信する携帯送信ゲーム処理を事後接客処理として行う。
【０１０５】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
［撮影処理の例］
次に、図１２のフローチャートを参照して、上述した写真シール作成ゲームの一連の処理におけるステップＳ２の撮影処理の流れを説明する。
【０１０６】
まず、ステップＳ１１において、撮影処理部３０１は、写り選択画面をタッチパネルモニタ９２に表示させる。写り選択画面は、撮影画像における被写体の写りに応じた撮影コースの選択に用いられる画面である。
【０１０７】
ステップＳ１２において、撮影処理部３０１は、人数選択画面をタッチパネルモニタ９２に表示させる。人数選択画面は、利用者の人数に応じた撮影コースの選択に用いられる画面である。
【０１０８】
図１３は、人数選択画面の例を示す図である。
【０１０９】
人数選択画面の中央上方には「撮りたいコースを選んでね」のメッセージが表示され、メッセージの下方左側には、２人用コースを選択するときに操作（選択）されるサンプル画像３５１が表示される。サンプル画像３５１は、２人用コースで撮影を行ったときに得られる画像のサンプルである。
【０１１０】
サンプル画像３５１の右側には、３人用コースを選択するときに操作されるサンプル画像３５２と、４人用コースを選択するときに操作されるサンプル画像３５３が、縦に並べて表示される。サンプル画像３５２は３人用コースで撮影を行ったときに得られる画像のサンプルであり、サンプル画像３５３は４人用コースで撮影を行ったときに得られる画像のサンプルである。
【０１１１】
サンプル画像３５１乃至３５３が表示されることにより、利用者はそれぞれの撮影コースによって得られる画像の画角を確認することができる。図１３に示されるように、少人数の撮影コースを選択したときに得られる画像より、大人数の撮影コースを選択したときに得られる画像の方が、垂直方向の長さに対する水平方向の長さが長い。
【０１１２】
なお、利用者の人数が５人以上である場合には、利用者は、４人用コースを選択して撮影を行うことが行うことが好ましい。もちろん、３人用コースを選択して撮影を行うことも可能である。
【０１１３】
ステップＳ１３において、撮影処理部３０１は、立ち位置の案内画面をタッチパネルモニタ９２に表示させる。
【０１１４】
具体的には、撮影処理部３０１は、２人用コースまたは３人用コースが選択された場合、図６を参照して説明した区画２７Ａの内側に立つことを案内する画面を表示させる。また、撮影処理部３０１は、４人用コースで撮影することが選択された場合、図６を参照して説明した区画２７Ｂの内側に立つことを案内する画面を表示させる。
【０１１５】
なお、画面表示によって案内するだけに限らず、撮影部２０８内のスピーカ（図示せず）から出力する音声によって案内したり、区画２７Ａ、区画２７Ｂに発光体としてLEDを埋め込み、画面表示に対応する区画を光らせて案内したりするようにしてもよい。
【０１１６】
特に、区画２７Ａのみが形成され、区画２７Ｂが形成されていない場合には、スピーカからの音声によって、利用者に対して、カメラ９１から遠い位置に立つことを案内するようにする。
【０１１７】
このように、誘導する前後方向の立ち位置を利用者の人数に応じて切り替えることにより、最適な大きさで利用者の顔が写る画像を撮影することが可能になる。
【０１１８】
ステップＳ１４において、撮影処理部３０１は、人数に応じて照明装置２２３を制御する。具体的には、撮影処理部３０１は、２人用コースまたは３人用コースが選択された場合より、４人用コースが選択された場合に、撮影空間内の各ストロボの発光量が若干大きくなるように、照明装置２２３の発光を制御する。
【０１１９】
これにより、２人用コースまたは３人用コースと比較してカメラ９１より遠い立ち位置で撮影が行われる４人用コースにおいても、利用者の顔が暗く写ってしまうことを避けることが可能となる。
【０１２０】
そして、ステップＳ１５において、撮影処理部３０１は、カメラ９１を制御し、画像の取り込みを開始させ、カメラ９１により取り込まれた動画像（ライブビュー画像）をタッチパネルモニタ９２に表示させる（ライブビュー表示を行う）。このとき、撮影処理部３０１は、ステップＳ１２において選択された利用者の人数に応じた画角で、ライブビュー画像を取り込み、表示させる。
【０１２１】
ステップＳ１６において、撮影処理部３０１は、タッチパネルモニタ９２にカウントダウンインジケータを表示し、撮影タイミングを利用者に通知する。
【０１２２】
撮影タイミングになったとき、ステップＳ１７において、撮影処理部３０１は、カメラ９１を制御して撮影を行い、静止画像である撮影画像を取得する。この撮影画像もまた、ステップＳ１２において選択された利用者の人数に応じた画角で撮影されたものとなる。すなわち、撮影処理部３０１は、利用者の人数に応じた画角で撮影を行う。
【０１２３】
ステップＳ１８において、撮影処理部３０１は、得られた撮影画像を、撮影結果として撮影画面に表示した後、ステップＳ１９において、撮影を所定回数繰り返し行ったか否かを判定する。ステップＳ１９において撮影を所定回数行っていないと判定された場合、処理はステップＳ１５に戻り、上述の処理を繰り返し行う。具体的には、２人用コースおよび３人用コースの場合、６回の撮影が行われるまで、４人用コースの場合、４回の撮影が行われるまで、上述の処理が繰り返される。
【０１２４】
ステップＳ２０において、撮影処理部３０１は、得られた６枚の撮影画像を撮影結果として記憶部２０２に保存（記憶）させる。その後、図１１のステップＳ２に戻り、それ以降の処理が行われる。
【０１２５】
以上のようにして、２人用コースにおいては、図１４Ａに示されるように、縦横比が約１：1.2となる画角で撮影された撮影画像が取得され、３人用コースにおいては、図１４Ｂに示されるように、縦横比が約３：４となる画角で撮影された撮影画像が取得され、４人用コースにおいては、図１４Ｃに示されるように、縦横比が約９：１６となる画角で撮影された撮影画像が取得されるようになる。
【０１２６】
このように、利用者の人数に応じて、利用者それぞれの顔が適切に収まる画角で撮影が行われるので、人物（被写体）の配置のバランスのよい撮影画像を得ることができる。
【０１２７】
上述した撮影処理により得られた撮影画像は、編集処理において編集対象画像として落書き編集が施され、印刷処理においてシール紙に印刷されるとともに、事後接客処理において利用者の所有する携帯端末へ提供される。
【０１２８】
そこで、以下においては、携帯端末への画像の提供を実現する画像提供システムについて説明する。
【０１２９】
［画像提供システムの構成例］
図１５は、上述で説明してきた写真シール作成装置１を含む画像提供システムの構成例を示している。
【０１３０】
図１５の画像提供システムは、写真シール作成装置１、サーバ４０２、および携帯端末４０３から構成される。サーバ４０２は、例えば写真シール作成装置１のメーカが管理するサーバであり、携帯端末４０３は、写真シール作成装置１が提供するゲームを行い、シール紙を受け取る利用者が携帯している携帯電話機などの端末である。
【０１３１】
写真シール作成装置１とサーバ４０２の間、サーバ４０２と携帯端末４０３の間の情報の送受信は、インターネットなどの通信ネットワークを介して行われる。
【０１３２】
サーバ４０２においては、携帯端末４０３の利用者による写真シール作成装置１の利用によって得られた画像（携帯送信用画像）が管理されている。
【０１３３】
［サーバの構成例］
図１６は、サーバ４０２のハードウェア構成例を示すブロック図である。
【０１３４】
CPU(Central Processing Unit)４１１、ROM４１２、RAM４１３は、バス４１４により相互に接続される。
【０１３５】
バス４１４には、さらに、入出力インタフェース４１５が接続される。入出力インタフェース４１５には、キーボード、マウス等よりなる入力部４１６、ディスプレイ、スピーカ等よりなる出力部４１７が接続される。また、入出力インタフェース４１５には、ハードディスクや不揮発性のメモリなどより構成され、各種の情報を記憶する記憶部４１８、ネットワークインタフェースなどより構成され、写真シール作成装置１や携帯端末４０３と通信を行う通信部４１９、リムーバブルメディア４２１を駆動するドライブ４２０が接続される。
【０１３６】
記憶部４１８には、写真シール作成装置１から送信されてきた携帯送信用画像や、サーバ４０２が管理する各種のウェブサイトの情報などが記憶される。
【０１３７】
図１７は、サーバ４０２の機能構成例を示すブロック図である。図１７に示す機能ブロックのうちの少なくとも一部は、図１６のCPU４１１により所定のプログラムが実行されることによって実現される。サーバ４０２においては、データ管理部４３１、ウェブページ提供部４３２、および端末情報取得部４３３が実現される。
【０１３８】
データ管理部４３１は、写真シール作成装置１から送信されてきた携帯送信用画像や、その携帯送信用画像に関する情報等、各種のデータを管理する。
【０１３９】
ウェブページ提供部４３２は、携帯端末４０３からの要求に応じて、サーバ４０２が管理するウェブサイトを構成するウェブページを、通信部４１９を介して、携帯端末４０３に提供する。具体的には、ウェブページ提供部４３２は、携帯送信用画像を含むウェブページを、携帯端末４０３に提供する。携帯端末４０３に提供されたウェブページは、携帯端末４０３の表示部（表示画面）に表示されるようになる。
【０１４０】
なお、ウェブページ提供部４３２は、携帯送信用画像を提供する際、その縦横比に基づいて、携帯送信用画像と携帯端末４０３の表示部それぞれの長辺および短辺の向き（以下、長短の向き）を合わせて表示させるようにして、携帯送信用画像を携帯端末４０３に提供する。
【０１４１】
端末情報取得部４３３は、携帯端末４０３に関する情報である端末情報を、必要に応じて、通信部４１９を介して携帯端末４０３に要求し、取得する。
【０１４２】
［携帯端末の構成例］
図１８は、携帯端末４０３の機能構成例を示すブロック図である。
【０１４３】
携帯端末４０３は、制御部４５１、アンテナ４５２、通信部４５３、記憶部４５４、表示部４５５、非接触型IC４５６、および操作部４５７から構成される。
【０１４４】
制御部４５１は、CPU，ROM，RAM等よりなり、所定のプログラムを実行し、携帯端末４０３の全体の動作を制御する。例えば、制御部４５１は、通信部４５３を制御してサーバ４０２と通信を行う。
【０１４５】
通信部４５３は、基地局から送信された電波が受信されることに応じてアンテナ４５２から供給された信号の復調処理を行い、復調処理を行うことによって得られた情報を制御部４５１に出力する。また、通信部４５３は、制御部４５１から供給された情報に対して変調処理を施し、得られた信号をアンテナ４５２から送信する。
【０１４６】
記憶部４５４は、フラッシュメモリ等よりなり、サーバ４０２からダウンロードされた携帯送信用画像等、各種の情報を記憶する。
【０１４７】
表示部４５５は、LCD等よりなり、各種の情報を表示する。例えば表示部４５５には、サーバ４０２から送信され、通信部４５３において受信された携帯送信用画像が表示される。
【０１４８】
非接触型IC４５６は、写真シール作成装置１に非接触型ICリーダ／ライタが設けられている場合、その通信可能範囲において、非接触型ICリーダ／ライタと近接通信を行う。
【０１４９】
操作部４５７は、各種のボタンや表示部４５５に重ねて設けられたタッチパネルより構成され、利用者の操作の内容を表す信号を制御部４５１に出力する。
【０１５０】
＜画像提供システムの動作＞
次に、図１９のフローチャートを参照して、写真シール作成装置１において得られた携
帯送信用画像を、サーバ４０２に送信し、携帯端末４０３に提供するまでの一連の処理について説明する。
【０１５１】
事後接客処理として行われる携帯送信ゲーム処理が開始されると、ステップＳ３１において、事後接客処理部３０４は、利用者によって携帯送信用画像として選択された撮影画像または編集済み画像を、利用者によって入力された、利用者の携帯端末４０３のメールアドレスとともに、サーバ４０２に送信する。
【０１５２】
このとき、事後接客処理部３０４は、送信される携帯送信用画像に、その携帯送信用画像に関する情報（以下、画像情報という）を付加してサーバ４０２に送信する。
【０１５３】
なお、携帯送信ゲーム処理においては、最大１枚の画像を携帯端末４０３に送信することができるものとするが、携帯端末４０３に送信される画像の枚数は１枚に限られない。具体的には、サーバ４０２が管理するウェブサイトにおいて、携帯端末４０３を所有する利用者が会員登録されている場合には、写真シール作成ゲームにより得られた、例えば６枚の画像全てが携帯端末４０３に送信され、利用者が会員登録されていない場合には、例えば６枚の画像のうちの１枚のみが携帯端末４０３に送信される。
【０１５４】
ステップＳ５１において、サーバ４０２（通信部４１９）は、写真シール作成装置１から送信されてきた携帯送信用画像と、メールアドレスを受信する。
【０１５５】
ステップＳ５２において、サーバ４０２のデータ管理部４３１は、写真シール作成装置１から送信されてきた携帯送信用画像に対して、保存先URL（Uniform Resource Locator）を割り当て、写真シール作成装置１から送信されてきた携帯端末４０３のメールアドレスと携帯送信用画像とを対応付けて記憶部４１８に記憶させる。
【０１５６】
ステップＳ５３において、データ管理部４３１は、携帯端末４０３のメールアドレス宛てに、ステップＳ５２において割り当てた携帯送信用画像の保存先URLを含む電子メールを送信する。
【０１５７】
ステップＳ７１において、携帯端末４０３は、サーバ４０２から送信されてきた、携帯送信用画像の保存先URLを含む電子メールを受信する。
【０１５８】
ステップＳ７２において、携帯端末４０３は、電子メールの内容を確認した利用者により携帯送信用画像の表示が指示された場合、受信した電子メールに含まれるURLに基づいてサーバ４０２にアクセスし、携帯送信用画像の表示を要求する。
【０１５９】
ステップＳ５４において、サーバ４０２のウェブページ提供部７３２は、携帯端末４０３の要求に応じて、携帯送信用画像の保存先を指定し、指定された保存先の携帯送信用画像を読み出す。
【０１６０】
ステップＳ５５において、ウェブページ提供部７３２は、読み出した携帯送信用画像を含むウェブページを携帯端末４０３に提供する。
【０１６１】
ステップＳ７３において、携帯端末４０３は、ウェブページ提供部７３２によって提供された、携帯送信用画像を含むウェブページを表示部４５５に表示させる。
【０１６２】
なお、上述した説明においては、携帯送信用画像は、携帯端末に送信されるものとしたが、携帯端末に限らず、パーソナルコンピュータ等の、利用者が所有する端末装置に送信されるようにすることができる。
【０１６３】
以上のようにして、写真シール作成装置１において得られた撮影画像または編集済み画像が、携帯端末４０３に提供され、表示されるようになる。
【０１６４】
このようにして、携帯端末４０３に提供される携帯送信用画像には、縦長の画像もあれば、上述した撮影処理で得られる、縦横比が約１：1.2や、約３：４、約９：１６等の横長の画像もある。
【０１６５】
しかしながら、従来、携帯端末４０３に提供される画像が、横長の画像である場合には、図２０に示されるように、携帯端末４０３の縦長の表示部４５５において、その画像は、表示部４５５の幅に合わせて縮小されて表示され、その上下には、何も表示されない領域ができてしまっていた。
【０１６６】
［ウェブページ提供処理について］
そこで、図２１のフローチャートを参照して、横長の画像であっても、携帯端末の縦長の表示部に適した形に表示させるウェブページ提供処理について説明する。
【０１６７】
なお、図２１のウェブページ提供処理は、図１９のフローチャートにおけるステップＳ５５の処理の中で実行される。
【０１６８】
まず、ステップＳ１１１において、ウェブページ提供部４３２は、携帯端末４０３からのアクセスに応じて、携帯送信用画像のサムネイル画像を含むウェブページを携帯端末４０３に提供する。
【０１６９】
図２２は、携帯端末４０３の表示部４５５に表示されるサムネイル画像を含むウェブページの例を示している。
【０１７０】
図２２に示されるように、携帯端末４０３の表示部４５５には、４枚のサムネイル画像５１１−１乃至５１１−４が表示されている。サムネイル画像５１１−１乃至５１１−４は、携帯送信用画像として、写真シール作成装置１からサーバ４０２へ送信された画像を縮小した画像である。
【０１７１】
ステップＳ１１２において、ウェブページ提供部４３２は、携帯端末４０３の表示部４５５において、いずれかのサムネイル画像が選択されたか否かを判定する。いずれのサムネイル画像も選択されていないと判定された場合、ステップＳ１１２の処理は繰り返され、いずれかのサムネイル画像が選択されたと判定された場合、処理はステップＳ１１３に進む。
【０１７２】
ステップＳ１１３において、ウェブページ提供部４３２は、選択されたサムネイル画像に対応する携帯送信用画像が横長であるか否かを判定する。
【０１７３】
このとき、ウェブページ提供部４３２は、携帯送信用画像に付加されている画像情報に基づいて、その携帯送信用画像が横長であるか否かを判定する。
【０１７４】
具体的には、画像情報には、その携帯送信用画像の縦横比を表す縦横比情報が含まれる。この縦横比情報は、いわゆる画像の表示サイズを表す情報であり、ピクセル単位で表わされる。ウェブページ提供部４３２は、この縦横比情報に基づいて、携帯送信用画像が横長であるか否かを判定する。なお、携帯送信用画像に合成されている背景画像の縦横比に基づいて、携帯送信用画像が横長であるか否かが判定されるようにしてもよい。
【０１７５】
また、写真シール機の機種によって、得られる画像の縦横比が異なる場合がある。そこで、画像情報に、携帯送信用画像の送信元である写真シール機を特定する情報として、その写真シール機の機種名や筺体IDが含まれるようにする。そして、ウェブページ提供部４３２は、これら機種名や筐体IDに基づいて、携帯送信用画像が横長であるか否かを判定するようにしてもよい。
【０１７６】
さらに、写真シール作成ゲームにおいて選択される撮影コースによって、得られる画像の縦横比が異なる場合もある。そこで、画像情報に、写真シール作成ゲームにおいて選択された撮影コースを表すコース情報が含まれるようにして、このコース情報に基づいて、携帯送信用画像が横長であるか否かが判定されるようにしてもよい。
【０１７７】
ステップＳ１１３において、選択されたサムネイル画像に対応する携帯送信用画像が横長であると判定された場合、処理はステップＳ１１４に進み、ウェブページ提供部４３２は、携帯端末４０３の表示部４５５が縦長であるか否かを判定する。ここでは、例えば図２０に示される携帯端末４０３のように、通常、利用者が携帯端末４０３を操作するときの状態で、その表示部４５５が縦長であるか否かが判定される。
【０１７８】
このとき、端末情報取得部４３３は、携帯端末４０３に対して端末情報を要求することで、その端末情報を取得する。端末情報には、携帯端末４０３の表示部４５５の縦横比を表す情報が含まれており、ウェブページ提供部４３２は、その端末情報に基づいて、携帯端末４０３の表示部４５５が縦長であるか否かを判定する。
【０１７９】
また、ここでは、端末情報として、携帯端末４０３の機種判別に利用されるユーザエージェントが取得されるようにしてもよい。近年の携帯端末のうち、多機能携帯電話機（いわゆるスマートフォン）の表示画面は、基本的に全て縦長であるので、ユーザエージェントに基づいて、携帯端末４０３の機種がスマートフォンの機種であると判別されれば、その表示部４５５は縦長であると判定される。
【０１８０】
ステップＳ１１４において、携帯端末４０３の表示部４５５が縦長であると判定された場合、処理はステップＳ１１５に進み、ウェブページ提供部４３２は、選択されたサムネイル画像に対応する携帯送信用画像を90°回転させた画像を含むウェブページを、携帯端末４０３に提供する。
【０１８１】
図２３は、携帯端末４０３の表示部４５５に表示される携帯送信用画像の表示例である。
【０１８２】
図２３左側に示される携帯端末４０３の表示部４５５には、図２２においてサムネイル画像５１１−２が選択されることで、そのサムネイル画像５１１−２に対応する携帯送信用画像５２１が、携帯端末４０３の表示部４５５と長短の向きを合わせるように、具体的には、携帯送信用画像５２１の短辺と表示部４５５の短辺とを一致させるように、90°回転されて表示されている。
【０１８３】
ここで、携帯送信用画像５２１は、上述した撮影処理において、２人用コースにおける撮影により得られた、縦横比が約１：1.2の画像であるものとする。
【０１８４】
また、図２３においては、携帯送信用画像５２１が、時計回りに90°回転されて表示されているが、反時計回りに90°回転されて表示されてももちろんよい。
【０１８５】
なお、図２３右側には、表示部４５５上で画面をスクロールさせることで表示される、携帯送信用画像５２１を含むウェブページの全体が示されている。図２３右側のウェブページ上に表記されているように、利用者が、表示部４５５に表示されている携帯送信用画像５２１を長押しすることで、携帯送信用画像５２１を携帯端末４０３に保存（ダウンロード）することができる。
【０１８６】
図２４は、上述の携帯送信用画像５２１を含む画像が保存されている、携帯端末４０３のデータフォルダの表示例を示している。
【０１８７】
図２４に示されるように、携帯端末４０３のデータフォルダにおいては、回転されていない状態の６枚のサムネイル画像が表示されている。上述の携帯送信用画像５２１に対応するサムネイル画像が選択された場合には、図２３と同様にして、携帯送信用画像５２１が、携帯端末４０３の表示部４５５と、長短の向きを合わせるように90°回転されて表示される。
【０１８８】
さて、図２１のフローチャートに戻り、ステップＳ１１３において、選択されたサムネイル画像に対応する携帯送信用画像が横長でないと判定されたか、または、ステップＳ１１４において、携帯端末４０３の表示部４５５が縦長でないと判定された場合、処理はステップＳ１１６に進む。
【０１８９】
ステップＳ１１６において、ウェブページ提供部４３２は、選択されたサムネイル画像に対応する携帯送信用画像をそのまま含むウェブページを、携帯端末４０３に提供する。
【０１９０】
なお、図示は省略するが、ステップＳ１１３で、携帯送信用画像が横長でないと判定された後、ステップＳ１１６に処理が進む前に、本来は、ステップＳ１１４と同様に、携帯端末４０３の表示部４５５が縦長であるか否かが判定される。表示部４５５が縦長であると判定された場合、すなわち、携帯送信用画像と表示部４５５とがともに縦長である場合には、処理はステップＳ１１６に進む。一方、表示部４５５が縦長でないと判定された場合、携帯送信用画像が縦長で、表示部４５５が横長である場合には、ステップＳ１１５と同様に、それぞれの長短の向きを合わせて表示させるようにして、90°回転させた携帯送信用画像を含むウェブページが、携帯端末４０３に提供される、
【０１９１】
以上の処理によれば、携帯送信用画像と携帯端末の表示部の長短の向きを合わせるようにして、携帯送信用画像が携帯端末の表示部に表示されるので、携帯送信用画像が横長で、携帯端末の表示部は縦長であっても、携帯送信用画像は、画素数が下げられて縮小されることなく、携帯端末の表示部に大きく表示されるようになる。すなわち、携帯端末での表示に適した画像を提供することが可能となる。
【０１９２】
なお、携帯送信用画像が、３人用コースにおける撮影により得られた、縦横比が約３：４の画像である場合、図２５左側に示されるように、縦横比が３：４の携帯送信用画像５２２が、表示部４５５と長短の向きを合わせるように90°回転されて表示される。また、携帯送信用画像が、４人用コースにおける撮影により得られた、縦横比が約９：１６の画像である場合、図２５右側に示されるように、縦横比が９：１６の携帯送信用画像５２３が、表示部４５５と長短の向きを合わせるように90°回転されて表示される。
【０１９３】
このように、表示部４５５において、長辺と短辺の向きを合わせるように90°回転させて表示させる場合、携帯送信用画像の短辺と表示部４５５の短辺とを一致させるようにして、携帯送信用画像が縦横比を変えずに拡大／縮小されて表示される。したがって、表示部４５５においては、携帯送信用画像の縦横比によって、携帯送信用画像の長辺方向の表示のされ方が異なってくる。
【０１９４】
具体的には、表示部４５５の表示領域の縦横比が１６：９である場合には、図２５左側に示されるように、縦横比が３：４の携帯送信用画像５２２は、ウェブサイトのボタン等が表示されている表示部４５５の表示領域の一部（下側）を余して、その全体が表示され、図２５右側に示されるように、縦横比が９：１６の携帯送信用画像５２３は、表示部４５５の表示領域全体に、その全体が表示される。
【０１９５】
なお、携帯送信用画像の短辺と表示部４５５の短辺とを一致させずに、例えば、携帯送信用画像の短辺を、表示部４５５の短辺より短くなるようにして、すなわち、表示部４５５よりひと回り小さいサイズで、携帯送信用画像が表示されるようにしてもよい。また、携帯送信用画像の短辺と表示部４５５の短辺とを一致させて、携帯送信用画像の長辺が表示部４５５の長辺に収まらない場合には、携帯送信用画像の短辺と表示部４５５の短辺とを一致させず、携帯送信用画像の長辺が表示部４５５の長辺に収まるように、携帯送信用画像が表示されるようにしてもよい。
【０１９６】
［ウェブページ提供処理の他の例について］
図２６は、横長の画像であっても、携帯端末の縦長の表示部に適した形に表示させるウェブページ提供処理の他の例を説明するフローチャートである。
【０１９７】
なお、図２６のフローチャートにおけるステップＳ１３１乃至Ｓ１３４，Ｓ１３８の処理は、図２１のフローチャートにおけるステップＳ１１１乃至Ｓ１１４，Ｓ１１６の処理と同様であるので、その説明は省略する。
【０１９８】
すなわち、ステップＳ１３５において、ウェブページ提供部４３２は、選択されたサムネイル画像に対応する携帯送信用画像を90°回転させた画像とともに、画像回転ボタンを含むウェブページを、携帯端末４０３に提供する。
【０１９９】
画像回転ボタンは、携帯端末４０３の表示部４５５に表示される90°回転させた画像を、回転前の状態で表示させるための指示を受け付けるGUI（Graphical User Interface）である。
【０２００】
ステップＳ１３６において、ウェブページ提供部４３２は、携帯端末４０３の表示部４５５において、画像回転ボタンが選択（押下）されたか否かを判定する。
【０２０１】
ステップＳ１３６において、画像回転ボタンが選択されていないと判定された場合、処理は終了する。
【０２０２】
図２７は、携帯端末４０３の表示部４５５に表示される携帯送信用画像および画像回転ボタンの表示例である。
【０２０３】
図２７左側においては、携帯送信用画像５２１が、携帯端末４０３の表示部４５５と、長短の向きを合わせるように90°回転されて表示されるとともに、その下方に、画像回転ボタン５５１が表示されている。
【０２０４】
この状態で、利用者が、画像回転ボタン５５１を押下せずに、表示部４５５に表示されている携帯送信用画像５２１を長押しすると、携帯送信用画像５２１が携帯端末４０３に保存（ダウンロード）される。このとき、図２７右側に示されるように、携帯端末４０３のデータフォルダにおいては、90°回転された状態のサムネイル画像が表示される。
【０２０５】
一方、ステップＳ１３６において、画像回転ボタンが選択されたと判定された場合、処理はステップＳ１３７に進み、ウェブページ提供部４３２は、回転前の状態の携帯送信用画像を含むウェブページを、携帯端末４０３に提供する。
【０２０６】
すなわち、図２７左側に示される携帯端末４０３の表示部４５５において、画像回転ボタン５５１が押下されると、図２８左側に示されるように、携帯送信用画像５２１が、90°回転される前の状態で表示される。
【０２０７】
この状態で、利用者が、表示部４５５に表示されている携帯送信用画像５２１を長押しすると、携帯送信用画像５２１が携帯端末４０３に保存（ダウンロード）される。このとき、図２８右側に示されるように、携帯端末４０３のデータフォルダにおいては、回転されていない状態のサムネイル画像が表示される。
【０２０８】
以上の処理によれば、画像回転ボタンにより、90°回転されて表示されている携帯送信用画像を、回転前の状態に戻すことができる。これにより、例えば、90°回転されて表示されている携帯送信用画像が、利用者にとって見やすくない場合には、利用者は、自分の見やすいように、携帯端末に携帯送信用画像を表示させることができるようになる。
【０２０９】
なお、ウェブページに表示される携帯送信用画像の回転の有無を、写真シール作成装置１における事後接客処理において、利用者に選択させるようにしてもよい。
【０２１０】
また、図２２を参照して説明したような、携帯送信用画像のサムネイル画像を含むウェブページには、利用者が過去に行った写真シール作成ゲームで得られた画像に対応するサムネイル画像が表示される。上述したように、写真シール機の機種や撮影コース等によって、得られる画像の縦横比は異なるため、そのウェブページに表示されるサムネイル画像には、縦長の画像と横長の画像とが混在する可能性があり、利用者にとって見づらくなる恐れがある。
【０２１１】
そこで、携帯送信用画像のサムネイル画像を含むウェブページに、画像回転ボタン５５１のような、サムネイル画像の表示を縦長に統一したり、横長に統一したりするようなGUIを設けるようにしてもよい。これにより、表示されるサムネイル画像が、利用者にとって見やすいものとなる。
【０２１２】
以上のように、利用者により、携帯端末における携帯送信用画像の表示のされ方を選択させるようにした場合であっても、ウェブページを提供する側、すなわち写真シール作成装置１のメーカとしては、携帯送信用画像が横長で、携帯端末の表示画面が縦長である場合には、携帯端末において90°回転させて表示させることを、利用者に勧めたい場合がある。
【０２１３】
そこで、例えば、ウェブページ提供部４３２は、携帯送信用画像が横長で、携帯端末の表示画面が縦長である場合、携帯端末４０３からのアクセス（携帯送信用画像の表示の要求）に応じてウェブページを提供する際に、画像を90°回転させて表示させることを促すポップアップ画面を提供するようにしてもよい。
【０２１４】
図２９は、ポップアップ画面の例を示している。
【０２１５】
図２９においては、携帯送信用画像のうちの１枚が90°回転されて表示されているポップアップ画面５７１が、携帯端末４０３の表示部４５５に表示されている。ポップアップ画面５７１には、「90°回転で見るとキレイ」といったメッセージが含まれて表示されており、これにより、利用者に対して、90°回転させて表示させることを促すことができる。
【０２１６】
ところで、多機能携帯電話機（スマートフォン）には、その端末の３次元的な姿勢（傾き）に応じて、表示部の表示内容を回転させる機能（自動回転機能）を有するものがある。
【０２１７】
この自動回転機能によれば、利用者にとって閲覧しやすい表示内容を提供することができるが、場合によっては、利用者の意図しない場面で表示内容が回転してしまい、利用者にとって、かえって閲覧しにくい表示内容となることがある。
【０２１８】
そこで、このような携帯端末には、自動回転機能に加え、この自動回転機能をロックする（無効にする）回転ロック機能が設けられている。
【０２１９】
以下においては、回転ロック機能を備える携帯端末に対して、上述したウェブページを提供する構成について説明する。
【０２２０】
［サーバの他の構成例］
図３０は、サーバ４０２の他の機能構成例を示すブロック図である。
【０２２１】
図３０のサーバ４０２は、データ管理部４３１、ウェブページ提供部４３２、端末情報取得部４３３、および状態検知部６１１を備えている。図３０において、図１７のサーバ４０２と同一の機能を有する部分には同一符号を付してあり、その説明は適宜省略する。
【０２２２】
状態検知部６１１は、携帯端末４０３に対して、携帯端末４０３の状態を表す情報を要求し、その情報を受信することで、携帯端末４０３の状態を検知する。具体的には、状態検知部６１１は、携帯端末４０３における回転ロック機能のオン／オフを検知したり、携帯端末４０３の傾きを検知する。
【０２２３】
ウェブページ提供部４３２は、携帯端末４０３における回転ロック機能のオン／オフに応じたウェブページを、携帯端末４０３に提供する。
【０２２４】
［ウェブページ提供処理について］
次に、図３１のフローチャートを参照して、図３０のサーバ４０２によって実行されるウェブページ提供処理について説明する。
【０２２５】
なお、図３１のフローチャートにおけるステップＳ１５１乃至Ｓ１５５，Ｓ１５８の処理は、図２１のフローチャートにおけるステップＳ１１１乃至Ｓ１１４，Ｓ１１６の処理と同様であるので、その説明は省略する。
【０２２６】
すなわち、ステップＳ１５６において、状態検知部６１１は、携帯端末４０３における回転ロック機能のオン／オフを検知することで、携帯端末４０３における回転ロック機能がオンであるか否かを判定する。
【０２２７】
ステップＳ１５６において、回転ロック機能がオンであると判定された場合、何もされず、処理は終了する。
【０２２８】
例えば、図３２左側に示されるように、携帯端末４０３の表示部４５５において、携帯送信用画像５２１が90°回転されて表示されている状態で、携帯端末４０３を反時計回りに90°回転させた場合、回転ロック機能がオンであれば、図３２右上に示されるように、表示部４５５の表示内容も反時計回りに90°回転する。
【０２２９】
一方、ステップＳ１５６において、回転ロック機能がオンでないと判定された場合、処理はステップＳ１５７に進み、ウェブページ提供部４３２は、状態検知部６１１によって検知されている携帯端末４０３の傾きに応じて、表示部４５５に対して、長短の向きを合わせた画像を含むウェブページを、携帯端末４０３に提供する。
【０２３０】
すなわち、図３２左側に示される状態で、携帯端末４０３を反時計回りに90°回転させた場合、回転ロック機能がオフであれば、通常、表示部４５５の表示内容は回転せず、90°回転されたままの携帯送信用画像５２１が表示されるが、ステップＳ１５７の処理によれば、図３２右下に示されるように、表示部４５５の長短の向きに合うようにした携帯送信用画像６２１を含むウェブページが、表示部４５５に表示されるようになる。
【０２３１】
以上の処理によれば、回転ロック機能のオン／オフに応じた画像が提供されるので、回転ロック機能のオン／オフにかかわらず、利用者が見やすいように、携帯端末に携帯送信用画像を表示させることができるようになる。
【０２３２】
なお、図３１のウェブページ提供処理においても、画像回転ボタン５５１（図２７，２８）を表示させるウェブページや、ポップアップ画面５７１（図２９）が提供されるようにすることもできる。
【０２３３】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２３４】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２３５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２３６】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２３７】
また、本発明の実施の形態は、上述した実施の形態に限定されるものではなく、本発明の要旨を逸脱しない範囲において種々の変更が可能である。
【符号の説明】
【０２３８】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
４０２  サーバ
４０３  携帯端末
４３１  データ管理部
４３２  ウェブページ提供部
４３３  端末情報取得部
６１１  状態検知部
【図１】
2014216931.tif 000003
【図２】
2014216931.tif 000004
【図３】
2014216931.tif 000005
【図４】
2014216931.tif 000006
【図５】
2014216931.tif 000007
【図６】
2014216931.tif 000008
【図７】
2014216931.tif 000009
【図８】
2014216931.tif 000010
【図９】
2014216931.tif 000011
【図１０】
2014216931.tif 000012
【図１１】
2014216931.tif 000013
【図１２】
2014216931.tif 000014
【図１３】
2014216931.tif 000015
【図１４】
2014216931.tif 000016
【図１５】
2014216931.tif 000017
【図１６】
2014216931.tif 000018
【図１７】
2014216931.tif 000019
【図１８】
2014216931.tif 000020
【図１９】
2014216931.tif 000021
【図２０】
2014216931.tif 000022
【図２１】
2014216931.tif 000023
【図２２】
2014216931.tif 000024
【図２３】
2014216931.tif 000025
【図２４】
2014216931.tif 000026
【図２５】
2014216931.tif 000027
【図２６】
2014216931.tif 000028
【図２７】
2014216931.tif 000029
【図２８】
2014216931.tif 000030
【図２９】
2014216931.tif 000031
【図３０】
2014216931.tif 000032
【図３１】
2014216931.tif 000033
【図３２】
2014216931.tif 000034